(57)【要約】物質放出利益拒否防犯装置に関連する装置及び方法を提供する。一例による防犯装置は、防犯装置を物品に分離可能に取り付けるロックアセンブリと、電子アセンブリとを含む。電子アセンブリは、無線周波数受信機と、処理回路とを含む。防犯装置は、利益拒否アセンブリをさらに含む場合がある。利益拒否アセンブリは、ベッセル内に配置された物質と、物質を物品の中にまたは物品に向けて放出する放出機構とを含む。処理回路は、無線周波数受信機が無線信号を受信することに応答して、無線周波数受信機からゲート検出信号を受信し、無線周波数受信機からのゲート検出信号の受信に応答して、放出機構に放出信号を送信することにより、放出機構を発動させ、物質を放出させるように構成される場合がある。【選択図】図１８
2021504840.tif 000002
【特許請求の範囲】
【請求項１】
防犯装置であって、
前記防犯装置をロックして、物品からの前記防犯装置の分離を禁止するように構成され、前記防犯装置を前記物品からロック解除して、アラームを鳴らすことなく前記物品を前記防犯装置から分離できるようにするように構成されたロックアセンブリと、
電子アセンブリであって、
無線周波数受信機と、
前記無線周波数受信機に結合された処理回路と
を含む電子アセンブリと、
利益拒否アセンブリであって、
ベッセル内に物質が配置された当該ベッセルと、
前記物質を前記物品の中にまたは前記物品に向けて放出するように構成された放出機構であって、前記処理回路に結合され、前記処理回路によって発動可能である放出機構と
を含む利益拒否アセンブリと
を含み、
前記処理回路は、
前記無線周波数受信機が無線信号を受信することに応答して、前記無線周波数受信機からゲート検出信号を受信し、
前記無線周波数受信機からの前記ゲート検出信号の受信に応答して、前記放出機構に放出信号を送信することにより、前記放出機構を発動させ、前記物質を放出させる
ように構成されている、防犯装置。
【請求項２】
前記電子アセンブリは、音声装置をさらに含み、
前記処理回路は、前記無線周波数受信機からの前記ゲート検出信号の受信に応答して、前記音声装置にアラーム信号を送信することにより、前記音声装置にアラーム音を発信させるように構成されている、請求項１に記載の防犯装置。
【請求項３】
前記物質は、液体、ゲル、粉末、または膨張する泡状物質である、請求項１または請求項２に記載の防犯装置。
【請求項４】
前記処理回路は、前記無線周波数受信機からの前記ゲート検出信号の受信に応答して、タイマーを開始するようにさらに構成され、
前記処理回路は、前記無線周波数受信機からの前記ゲート検出信号の受信、及び、前記タイマーが閾値に到達したことに応答して、前記放出機構に前記放出信号を送信するように構成されている、請求項１〜３の何れか一項に記載の防犯装置。
【請求項５】
前記処理回路は、解除信号を受信し、前記解除信号の受信に応答して、前記タイマーを停止させるようにさらに構成されている、請求項４に記載の防犯装置。
【請求項６】
前記ロックアセンブリは、前記ロックアセンブリがロック解除状態に移行することに応答して、解除信号を生成するためのキーの適用に関連するロック解除位置になるように作動するように構成されたスイッチを含む、請求項５に記載の防犯装置。
【請求項７】
前記ロック機構の前記スイッチは、前記キーの適用に関連しない前記スイッチの作動に応答して、アラーム信号を送信するように構成されている、請求項６に記載の防犯装置。
【請求項８】
前記電子アセンブリは、第２の無線周波数受信機を含み、
前記解除信号は、第２の無線周波数受信機によって、無線解除信号の受信に応答して提供される、請求項５に記載の防犯装置。
【請求項９】
前記電子アセンブリは、音声装置をさらに含み、
前記処理回路は、
前記無線周波数受信機からの前記ゲート検出信号の受信に応答して、前記音声装置にアラーム信号を送信することにより、前記音声装置にアラーム音を発信させ、
前記解除信号の受信に応答して、アラーム停止信号を前記音声装置に送信することにより、前記音声装置に前記アラーム音の発信を停止させる
ように構成されている、請求項５に記載の防犯装置。
【請求項１０】
前記無線周波数受信機は、共振回路を形成するように結合されたインダクタ及びコンデンサを含む、請求項１〜９の何れか一項に記載の防犯装置。
【請求項１１】
前記共振回路は、約５８ｋＨｚまたは約８．２ＭＨｚで共振するように構成されている、請求項１０に記載の防犯装置。
【請求項１２】
防犯装置であって、
電子アセンブリであって、
無線周波数受信機と、
前記無線周波数受信機に結合された処理回路と
を含む電子アセンブリと、
利益拒否アセンブリであって、
ベッセル内に物質が配置された当該ベッセルと、
前記物質を前記物品の中にまたは前記物品に向けて放出するように構成された放出機構であって、前記処理回路に結合され、前記処理回路によって発動可能である放出機構と
を含む利益拒否アセンブリと
を含み、
前記処理回路は、
前記無線周波数受信機が無線信号を受信することに応答して、前記無線周波数受信機からゲート検出信号を受信し、
前記無線周波数受信機からの前記ゲート検出信号の受信に応答して、前記放出機構に放出信号を送信することにより、前記放出機構を発動させ、前記物質を放出させる
ように構成され、
前記電子アセンブリは、ハウジング内に配置され、
前記防犯装置は、前記防犯装置をロックして、物品からの前記防犯装置の分離を禁止するように構成され、前記防犯装置を前記物品からロック解除して、アラームを鳴らすことなく前記物品を前記防犯装置から分離できるようにするように構成されたロックアセンブリを含み、
前記ロックアセンブリは、
（ｉ）前記ハウジング内に配置されたピンロック、及び前記ピンロックと解除可能に係合可能なピン、または
（ｉｉ）前記ハウジングを物品の表面に対して固定するクランプ力を印加するのに適したクランプ
を含む、防犯装置。
【請求項１３】
ハウジングに開口部を含み、前記開口部が、前記ベッセルと連通しており、前記物質は、そこを通って放出される、請求項１２に記載の防犯装置。
【請求項１４】
前記放出機構は、ピンと、機械的アクチュエータとを含み、放出信号を受信すると、前記機械的アクチュエータは、前記ピンを動かして前記ベッセルを突き刺し、前記ベッセルに孔を形成することにより、前記ベッセルから物質を放出できるようにする、請求項１２または請求項１３に記載の防犯装置。
【請求項１５】
前記放出機構は、反応物を含むポンプを含み、放出信号を受信すると、前記ポンプは、前記反応物を前記ベッセルに噴霧し、前記ベッセルに孔を形成することにより、前記ベッセルから前記物質を放出できるようにする、請求項１２または請求項１３に記載の防犯装置。
【請求項１６】
前記放出機構は、アクチュエータを含み、放出信号を受信すると、前記アクチュエータは、前記ベッセルの表面に圧力を印加するように作動され、それによって、前記物質が前記ベッセルから押し出される、請求項１２または請求項１３に記載の防犯装置。
【請求項１７】
前記アクチュエータは、ピストンである、請求項１６に記載の防犯装置。
【請求項１８】
前記放出機構は、前記ベッセルと連通する管を含み、前記物質は、前記ベッセルから前記管を通って流れる、請求項１６に記載の防犯装置。
【請求項１９】
前記放出機構は、前記ベッセルに取り付けられたノズルを含み、前記アクチュエータが作動され、前記ベッセルに圧力を印加すると、前記物質は、前記ベッセルから押し出され、前記ノズルから外に出される、請求項１６に記載の防犯装置。
【請求項２０】
前記ベッセルは、２以上の区画と、前記２以上の区画の各々の間に配置された障壁とを含み、各区画は、副成分物質を含み、放出信号を受信すると、前記２以上の区画間の前記障壁が開かれ、前記副成分物質の混合が可能となる、請求項１２〜１９の何れか一項に記載の防犯装置。
【請求項２１】
前記電子アセンブリは、音声装置をさらに含み、
前記処理回路は、前記無線周波数受信機からの前記ゲート検出信号の受信に応答して、前記音声装置にアラーム信号を送信することにより、前記音声装置にアラーム音を発信させるように構成されている、請求項１２〜２０の何れか一項に記載の防犯装置。
【請求項２２】
前記物質は、液体、ゲル、粉末、または膨張する泡状物質である、請求項１２〜２１の何れか一項に記載の防犯装置。
【請求項２３】
前記処理回路は、前記無線周波数受信機からの前記ゲート検出信号の受信に応答して、タイマーを開始するようにさらに構成され、
前記処理回路は、前記無線周波数受信機からの前記ゲート検出信号の受信、及び、前記タイマーが閾値に到達したことに応答して、前記放出機構に前記放出信号を送信するように構成されている、請求項１２〜２２の何れか一項に記載の防犯装置。
【請求項２４】
前記処理回路は、解除信号を受信し、前記解除信号の受信に応答して、前記タイマーを停止させるようにさらに構成されている、請求項２３に記載の防犯装置。
【請求項２５】
前記ロックアセンブリは、前記ロックアセンブリがロック解除状態に移行することに応答して、解除信号を生成するためのキーの適用に関連するロック解除位置になるように作動するように構成されたスイッチを含む、請求項２４に記載の防犯装置。
【請求項２６】
前記ロック機構の前記スイッチは、前記キーの適用に関連しない前記スイッチの作動に応答して、アラーム信号を送信するように構成されている、請求項２５に記載の防犯装置。
【請求項２７】
前記電子アセンブリは、第２の無線周波数受信機を含み、
前記解除信号は、前記第２の無線周波数受信機によって、無線解除信号の受信に応答して提供される、請求項２４〜２６の何れか一項に記載の防犯装置。
【請求項２８】
前記電子アセンブリは、音声装置をさらに含み、
前記処理回路は、
前記無線周波数受信機からの前記ゲート検出信号の受信に応答して、前記音声装置にアラーム信号を送信することにより、前記音声装置にアラーム音を発信させ、
前記解除信号の受信に応答して、アラーム停止信号を前記音声装置に送信することにより、前記音声装置に前記アラーム音の発信を停止させる
ように構成されている、請求項２４〜２８の何れか一項に記載の防犯装置。
【請求項２９】
防犯装置の電子アセンブリの処理回路において、前記電子アセンブリの無線周波数受信機が無線信号を受信することに応答して、前記電子アセンブリの前記無線周波数受信機からゲート検出信号を受信すること、及び
前記無線周波数受信機からの前記ゲート検出信号の受信に応答して、利益拒否アセンブリの放出機構に放出信号を送信することにより、前記放出機構を発動させ、前記利益拒否アセンブリのベッセル内に配置された物質を前記防犯装置にロックされた物品の中にまたは前記物品に向けて放出させること
を含む、方法。
【請求項３０】
前記無線周波数受信機からの前記ゲート検出信号の受信に応答して、前記音声装置にアラーム信号を送信することにより、前記音声装置にアラーム音を発信させること
をさらに含む、請求項２９に記載の方法。
【請求項３１】
前記無線周波数受信機からの前記ゲート検出信号の受信に応答して、タイマーを開始すること
をさらに含み、
前記放出信号を送信することは、前記無線周波数受信機からの前記ゲート検出信号の受信、及び、前記タイマーが閾値に到達したことに応答して、前記放出機構に前記放出信号を送信することを含む、請求項３０に記載の方法。
【請求項３２】
前記物質は、液体、ゲル、粉末、または膨張する泡状物質である、請求項２９〜３１の何れか一項に記載の方法。
【請求項３３】
容器内に物品を受け入れるように構成された当該容器と、
前記容器に取り付けられたロックアセンブリであって、前記容器をロックして前記物品へのアクセスを禁止し、前記容器のロックを解除して前記物品へのアクセスを許可するように構成されている、ロックアセンブリと、
前記容器に取り付けられた電子アセンブリであって、
無線周波数受信機と、
前記無線周波数受信機に結合された処理回路と
を含む電子アセンブリと、
利益拒否アセンブリであって、
ベッセル内に物質が配置された当該ベッセルと、
前記物質を前記容器の中に放出するように構成された放出機構であって、前記処理回路に結合され、前記処理回路によって発動可能である放出機構と
を含む利益拒否アセンブリと
を含み、
前記処理回路は、
前記無線周波数受信機が無線信号を受信することに応答して、前記無線周波数受信機からゲート検出信号を受信し、
前記無線周波数受信機からの前記ゲート検出信号の受信に応答して、前記放出機構に放出信号を送信することにより、前記放出機構を発動させ、前記物質を放出させる
ように構成されている、防犯装置。
【請求項３４】
前記電子アセンブリは、音声装置をさらに含み、
前記処理回路は、前記無線周波数受信機からの前記ゲート検出信号の受信に応答して、前記音声装置にアラーム信号を送信することにより、前記音声装置にアラーム音を発信させるように構成されている、請求項３３に記載の防犯装置。
【請求項３５】
前記物質は、液体、ゲル、粉末、または膨張する泡状物質から選択される、請求項３３または請求項３４に記載の防犯装置。
【請求項３６】
前記処理回路は、前記無線周波数受信機からの前記ゲート検出信号の受信に応答して、タイマーを開始するようにさらに構成され、
前記処理回路は、前記無線周波数受信機からの前記ゲート検出信号の受信、及び、前記タイマーが閾値に到達したことに応答して、前記放出機構に前記放出信号を送信するように構成されている、請求項３３〜３５の何れか一項に記載の防犯装置。
【請求項３７】
前記処理回路は、解除信号を受信し、前記解除信号の受信に応答して、前記タイマーを停止させるようにさらに構成されている、請求項３６に記載の防犯装置。
【請求項３８】
前記ロックアセンブリは、前記ロックアセンブリがロック解除状態に移行することに応答して、ロック解除位置にくるように作動され、前記解除信号を提供するように構成されたスイッチを含む、請求項３７に記載の防犯装置。
【請求項３９】
前記ロック機構の前記スイッチは、前記キーの適用に関連しない前記スイッチの作動に応答して、アラーム信号を送信するように構成されている、請求項３８に記載の防犯装置。
【請求項４０】
前記電子アセンブリは、第２の無線周波数受信機を含み、
前記解除信号は、前記第２の無線周波数受信機によって、無線解除信号の受信に応答して提供される、請求項３７〜３９の何れか一項に記載の防犯装置。
【請求項４１】
前記電子アセンブリは、音声装置をさらに含み、
前記処理回路は、
前記無線周波数受信機からの前記ゲート検出信号の受信に応答して、前記音声装置にアラーム信号を送信することにより、前記音声装置にアラーム音を発信させ、
前記解除信号の受信に応答して、アラーム停止信号を前記音声装置に送信することにより、前記音声装置に前記アラーム音の発信を停止させる
ように構成されている、請求項３７〜４０の何れか一項に記載の防犯装置。
【請求項４２】
前記無線周波数受信機は、共振回路を形成するように結合されたインダクタ及びコンデンサを含む、請求項３３に記載の防犯装置。
【請求項４３】
前記共振回路は、約５８ｋＨｚまたは約８．２ＭＨｚで共振するように構成されている、請求項４２に記載の防犯装置。
【請求項４４】
前記容器は、蓋にヒンジで取り付けられた、５面の基部を含む、請求項３３〜４３の何れか一項に記載の防犯装置。
【請求項４５】
前記電子アセンブリ及び前記利益拒否アセンブリは、前記ヒンジ付き蓋に取り付けられている、請求項４４に記載の防犯装置。
【請求項４６】
前記５面のシェルは、透明である、請求項４４に記載の防犯装置。
【請求項４７】
前記ロックアセンブリは、磁気キーとの相互作用により、ロック解除状態に移行するように構成されている、請求項３３〜４６の何れか一項に記載の防犯装置。
【請求項４８】
電子アセンブリの処理回路において、前記電子アセンブリの無線周波数受信機が無線信号を受信することに応答して、前記電子アセンブリの前記無線周波数受信機からゲート検出信号を受信すること、及び
前記無線周波数受信機からの前記ゲート検出信号の受信に応答して、利益拒否アセンブリの放出機構に放出信号を送信することにより、前記放出機構を発動させ、前記利益拒否アセンブリのベッセル内に配置された物質をロック可能な容器の中に放出させること
を含み、前記ロック可能な容器内に物品が配置されている、方法。
【請求項４９】
前記無線周波数受信機からの前記ゲート検出信号の受信に応答して、前記音声装置にアラーム信号を送信することにより、前記音声装置にアラーム音を発信させること
をさらに含む、請求項４８に記載の方法。
【請求項５０】
前記無線周波数受信機からの前記ゲート検出信号の受信に応答して、タイマーを開始すること
をさらに含み、
前記放出信号を送信することは、前記無線周波数受信機からの前記ゲート検出信号の受信、及び、前記タイマーが閾値に到達したことに応答して、前記放出機構に前記放出信号を送信することを含む、請求項４８または請求項４９に記載の方法。
【請求項５１】
前記容器は、ヒンジ付き蓋に取り付けられた、５面のシェルを含む、請求項４８〜５０の何れか一項に記載の方法。
【請求項５２】
前記電子アセンブリ及び前記利益拒否アセンブリは、前記容器のヒンジ付き蓋に取り付けられている、請求項４８〜５１の何れか一項に記載の方法。
【請求項５３】
前記物質は、液体、ゲル、粉末、または膨張する泡状物質である、請求項４８〜５２の何れか一項に記載の方法。
【発明の詳細な説明】
【技術分野】
【０００１】
［関連出願の相互参照］
本出願は、２０１７年１１月２８日に提出された米国仮特許出願第６２／５９１，３７１号に対する優先権を主張するものであり、この米国仮特許出願の開示は、参照によりその全体が本明細書に組み込まれる。
【０００２】
本明細書に記載された種々の例示的実施形態は、概して防犯技術に関し、より具体的には、小売業の損失防止に使用される防犯装置に関する。
【背景技術】
【０００３】
製品防犯装置は、小売盗難防止のような多くの環境で一般的に使用されている。この点に関し、電子商品監視（ＥＡＳ）システムと呼ばれることが多い小売盗難防止システムは、小売店の出口にあるアンテナを使用して、商品に結合された防犯装置から放射された無線周波数（ＲＦ）信号または磁気（ＡＭ）信号を検出する。製品防犯装置は、製品若しくは製品の周りに取り付けられ、又はロックされる場合がある。販売取引の際にＰＯＳでこの装置が取り外されなかった場合、防犯装置は、ＥＡＳシステムによって、製品に取り付けられて店を出る装置として検出されることになる。小売店からのそのような装置の持ち去りは、盗難の試みに関連している可能性が高いため、アラームが発動される場合がある。しかしながら、アラームにもかかわらず、もし泥棒が小売店から製品をなんとか持ち去ることができた場合、泥棒は、種々のツール又はより複雑な技術を使用して、製品に損傷を与えることなく製品から防犯装置を取り外すことができ、それによって盗んだ製品を使用し、若しくは再販する可能性がある。
【０００４】
［一部の例の概要］
一部の例示的実施形態によれば、防犯装置が提供される。例示的防犯装置は、容器を含む場合がある。容器は、容器内に物品を受け入れるように構成されている。防犯装置は、容器に取り付けられたロックアセンブリをさらに含む場合がある。ロックアセンブリは、容器をロックして、物品へのアクセス及び防犯装置からの物品の分離を禁止するように構成される場合がある。ロックアセンブリは、容器のロックが解除されることを許可し、物品へのアクセスを許可するように構成される場合がある。防犯装置は、容器に取り付けられた電子アセンブリをさらに含む場合がある。電子アセンブリは、無線周波数受信機と、処理回路とを含む場合がある。処理回路は、無線周波数受信機に結合される場合がある。さらに、防犯装置は、ベッセルと、放出機構とを含む利益拒否アセンブリを含む場合がある。ベッセルは、ベッセル内に配置された物質を含む場合がある。放出機構は、物質を容器の中に、及び、その中に配置された物品に向けて放出するように構成される場合がある。放出機構は、処理回路に結合される場合があり、処理回路によって発動可能である場合がある。処理回路は、無線周波数受信機が無線信号を受信することに応答して、無線周波数受信機からゲート検出信号を受信し、無線周波数受信機からのゲート検出信号の受信に応答して、放出機構に放出信号を送信することにより、放出機構を発動させ、物質を放出させるように構成される場合がある。
【０００５】
一部の例示的実施形態によれば、例示的方法が提供される。例示的方法は、防犯装置の電子アセンブリの処理回路において、電子アセンブリの無線周波数受信機が無線信号を受信することに応答して、電子アセンブリの無線周波数受信機からゲート検出信号を受信すること、及び、無線周波数受信機からのゲート検出信号の受信に応答して、利益拒否アセンブリの放出機構に放出信号を送信することにより、放出機構を発動させ、利益拒否アセンブリのベッセル内に配置された物質をロック可能な容器の中に放出させることを含む場合がある。ロック可能な容器内には、物品が配置されている。
【０００６】
一部の例示的実施形態によれば、別の防犯装置が提供される。防犯装置は、防犯装置をロックして、物品からの防犯装置の分離を禁止するように構成され、防犯装置を物品からロック解除して、アラームを鳴らすことなく物品を防犯装置から分離できるようにするように構成されたロックアセンブリを含む場合がある。防犯装置は、無線周波数受信機と、処理回路とを含む電子アセンブリをさらに含む場合がある。処理回路は、無線周波数受信機に結合される場合がある。防犯装置は、ベッセルと、放出機構とを含む利益拒否アセンブリをさらに含む場合がある。ベッセル内には物質が配置される場合がある。放出機構は、物質を物品の中にまたは物品に向けて放出するように構成される場合がある。放出機構は、処理回路に結合され、処理回路によって発動可能である場合がある。処理回路は、無線周波数受信機が無線信号を受信することに応答して、無線周波数受信機からゲート検出信号を受信し、無線周波数受信機からのゲート検出信号の受信に応答して、放出機構に放出信号を送信することにより、放出機構を発動させ、物質を放出させるように構成される場合がある。
【０００７】
一部の例示的実施形態によれば、例示的方法も提供される。この方法は、防犯装置の電子アセンブリの処理回路において、電子アセンブリの無線周波数受信機が無線信号を受信することに応答して、電子アセンブリの無線周波数受信機からゲート検出信号を受信すること、及び、無線周波数受信機からのゲート検出信号の受信に応答して、利益拒否アセンブリの放出機構に放出信号を送信することにより、放出機構を発動させ、利益拒否アセンブリのベッセル内に配置された物質を防犯装置にロックされた物品の中にまたは前記物品に向けて放出させることを含む場合がある。
【０００８】
一態様においては、防犯装置であって、
前記防犯装置をロックして、物品からの前記防犯装置の分離を禁止するように構成され、前記防犯装置を前記物品からロック解除して、アラームを鳴らすことなく前記物品を前記防犯装置から分離できるようにするように構成されたロックアセンブリと、
電子アセンブリであって、
無線周波数受信機と、
前記無線周波数受信機に結合された処理回路と
を含む電子アセンブリと、
利益拒否アセンブリであって、
ベッセル内に物質が配置された当該ベッセルと、
前記物質を前記物品の中にまたは前記物品に向けて放出するように構成された放出機構であって、前記処理回路に結合され、前記処理回路によって発動可能である放出機構と
を含む利益拒否アセンブリと
を含み、
前記処理回路は、
前記無線周波数受信機が無線信号を受信することに応答して、前記無線周波数受信機からゲート検出信号を受信し、
前記無線周波数受信機からの前記ゲート検出信号の受信に応答して、前記放出機構に放出信号を送信することにより、前記放出機構を発動させ、前記物質を放出させる
ように構成されている、防犯装置が提供される。
【０００９】
一実施形態において、前記電子アセンブリは、音声装置をさらに含み、
前記処理回路は、前記無線周波数受信機からの前記ゲート検出信号の受信に応答して、前記音声装置にアラーム信号を送信することにより、前記音声装置にアラーム音を発信させるように構成されている。
【００１０】
一実施形態において、前記物質は、液体、ゲル、粉末、または膨張する泡状物質である。
【００１１】
一実施形態において、前記処理回路は、前記無線周波数受信機からの前記ゲート検出信号の受信に応答して、タイマーを開始するようにさらに構成され、
前記処理回路は、前記無線周波数受信機からの前記ゲート検出信号の受信、及び、前記タイマーが閾値に到達したことに応答して、前記放出機構に前記放出信号を送信するように構成されている。
【００１２】
一実施形態において、前記処理回路は、解除信号を受信し、前記解除信号の受信に応答して、前記タイマーを停止させるようにさらに構成されている。
【００１３】
一実施形態において、前記ロックアセンブリは、前記ロックアセンブリがロック解除状態に移行することに応答して、解除信号を生成するためのキーの適用に関連するロック解除位置になるように作動するように構成されたスイッチを含む。
【００１４】
一実施形態において、前記ロック機構の前記スイッチは、前記キーの適用に関連しない前記スイッチの作動に応答して、アラーム信号を送信するように構成されている。
【００１５】
一実施形態において、前記ロック機構の前記スイッチは、前記キーの適用に関連しない前記スイッチの作動に応答して、アラーム信号を送信するように構成されている。
【００１６】
一実施形態において、前記電子アセンブリは、音声装置をさらに含み、
前記処理回路は、
前記無線周波数受信機からの前記ゲート検出信号の受信に応答して、前記音声装置にアラーム信号を送信することにより、前記音声装置にアラーム音を発信させ、
前記解除信号の受信に応答して、アラーム停止信号を前記音声装置に送信することにより、前記音声装置に前記アラーム音の発信を停止させる
ように構成されている。
【００１７】
一実施形態において、前記無線周波数受信機は、共振回路を形成するように結合されたインダクタ及びコンデンサを含む。
【００１８】
一実施形態において、前記共振回路は、約５８ｋＨｚまたは約８．２ＭＨｚで共振するように構成されている。
【００１９】
別の態様においては、防犯装置であって、
電子アセンブリであって、
無線周波数受信機と、
前記無線周波数受信機に結合された処理回路と
を含む電子アセンブリと、
利益拒否アセンブリであって、
ベッセル内に物質が配置された当該ベッセルと、
前記物質を前記物品の中にまたは前記物品に向けて放出するように構成された放出機構であって、前記処理回路に結合され、前記処理回路によって発動可能である放出機構と
を含む利益拒否アセンブリと
を含み、
前記処理回路は、
前記無線周波数受信機が無線信号を受信することに応答して、前記無線周波数受信機からゲート検出信号を受信し、
前記無線周波数受信機からの前記ゲート検出信号の受信に応答して、前記放出機構に放出信号を送信することにより、前記放出機構を発動させ、前記物質を放出させる
ように構成され、
前記電子アセンブリは、ハウジング内に配置され、
前記防犯装置は、前記防犯装置をロックして、物品からの前記防犯装置の分離を禁止するように構成され、前記防犯装置を前記物品からロック解除して、アラームを鳴らすことなく前記物品を前記防犯装置から分離できるようにするように構成されたロックアセンブリを含み、
前記ロックアセンブリは、
（ｉ）前記ハウジング内に配置されたピンロック、及び前記ピンロックと解除可能に係合可能なピン、または
（ｉｉ）前記ハウジングを物品の表面に対して固定するクランプ力を印加するのに適したクランプ
を含む、防犯装置が提供される。
【００２０】
一実施形態において、前記防犯装置は、前記ハウジングに開口部を含み、前記開口部が、前記ベッセルと連通しており、前記物質は、そこを通って放出される。
【００２１】
一実施形態において、前記電子アセンブリは、音声装置をさらに含み、
前記処理回路は、前記無線周波数受信機からの前記ゲート検出信号の受信に応答して、前記音声装置にアラーム信号を送信することにより、前記音声装置にアラーム音を発信させるように構成されている。
【００２２】
一実施形態において、前記物質は、液体、ゲル、粉末、または膨張する泡状物質である。
【００２３】
一実施形態において、前記処理回路は、前記無線周波数受信機からの前記ゲート検出信号の受信に応答して、タイマーを開始するようにさらに構成され、
前記処理回路は、前記無線周波数受信機からの前記ゲート検出信号の受信、及び、前記タイマーが閾値に到達したことに応答して、前記放出機構に前記放出信号を送信するように構成されている。
【００２４】
一実施形態において、前記処理回路は、解除信号を受信し、前記解除信号の受信に応答して、前記タイマーを停止させるようにさらに構成されている。
【００２５】
一実施形態において、前記ロックアセンブリは、前記ロックアセンブリがロック解除状態に移行することに応答して、解除信号を生成するためのキーの適用に関連するロック解除位置になるように作動するように構成されたスイッチを含む。
【００２６】
一実施形態において、前記ロック機構の前記スイッチは、前記キーの適用に関連しない前記スイッチの作動に応答して、アラーム信号を送信するように構成されている。
【００２７】
一実施形態において、前記電子アセンブリは、第２の無線周波数受信機を含み、
前記解除信号は、前記第２の無線周波数受信機によって、無線解除信号の受信に応答して提供される。
【００２８】
一実施形態において、前記電子アセンブリは、音声装置をさらに含み、
前記処理回路は、
前記無線周波数受信機からの前記ゲート検出信号の受信に応答して、前記音声装置にアラーム信号を送信することにより、前記音声装置にアラーム音を発信させ、
前記解除信号の受信に応答して、アラーム停止信号を前記音声装置に送信することにより、前記音声装置に前記アラーム音の発信を停止させる
ように構成されている。
【００２９】
別の態様においては、
防犯装置の電子アセンブリの処理回路において、前記電子アセンブリの無線周波数受信機が無線信号を受信することに応答して、前記電子アセンブリの前記無線周波数受信機からゲート検出信号を受信すること、及び
前記無線周波数受信機からの前記ゲート検出信号の受信に応答して、利益拒否アセンブリの放出機構に放出信号を送信することにより、前記放出機構を発動させ、前記利益拒否アセンブリのベッセル内に配置された物質を前記防犯装置にロックされた物品の中にまたは前記物品に向けて放出させること
を含む、方法が提供される。
【００３０】
一実施形態において、前記方法は、前記無線周波数受信機からの前記ゲート検出信号の受信に応答して、前記音声装置にアラーム信号を送信することにより、前記音声装置にアラーム音を発信させることをさらに含む。
【００３１】
一実施形態において、前記方法は、前記無線周波数受信機からの前記ゲート検出信号の受信に応答して、タイマーを開始することをさらに含み、
前記放出信号を送信することは、前記無線周波数受信機からの前記ゲート検出信号の受信、及び、前記タイマーが閾値に到達したことに応答して、前記放出機構に前記放出信号を送信することを含む。
【００３２】
一実施形態において、前記物質は、液体、ゲル、粉末、または膨張する泡状物質である。
【００３３】
さらに別の態様においては、防犯装置であって、
容器内に物品を受け入れるように構成された当該容器と、
前記容器に取り付けられたロックアセンブリであって、前記容器をロックして前記物品へのアクセスを禁止し、前記容器のロックを解除して前記物品へのアクセスを許可するように構成されている、ロックアセンブリと、
前記容器に取り付けられた電子アセンブリであって、
無線周波数受信機と、
前記無線周波数受信機に結合された処理回路と
を含む電子アセンブリと、
利益拒否アセンブリであって、
ベッセル内に物質が配置された当該ベッセルと、
前記物質を前記容器の中に放出するように構成された放出機構であって、前記処理回路に結合され、前記処理回路によって発動可能である放出機構と
を含む利益拒否アセンブリと
を含み、
前記処理回路は、
前記無線周波数受信機が無線信号を受信することに応答して、前記無線周波数受信機からゲート検出信号を受信し、
前記無線周波数受信機からの前記ゲート検出信号の受信に応答して、前記放出機構に放出信号を送信することにより、前記放出機構を発動させ、前記物質を放出させる
ように構成されている、防犯装置が提供される。
【００３４】
一実施形態において、前記電子アセンブリは、音声装置をさらに含み、
前記処理回路は、前記無線周波数受信機からの前記ゲート検出信号の受信に応答して、前記音声装置にアラーム信号を送信することにより、前記音声装置にアラーム音を発信させるように構成されている。
【００３５】
一実施形態において、前記物質は、液体、ゲル、粉末、または膨張する泡状物質から選択される。
【００３６】
一実施形態において、前記処理回路は、前記無線周波数受信機からの前記ゲート検出信号の受信に応答して、タイマーを開始するようにさらに構成され、
前記処理回路は、前記無線周波数受信機からの前記ゲート検出信号の受信、及び、前記タイマーが閾値に到達したことに応答して、前記放出機構に前記放出信号を送信するように構成されている。
【００３７】
一実施形態において、前記処理回路は、解除信号を受信し、前記解除信号の受信に応答して、前記タイマーを停止させるようにさらに構成されている。
【００３８】
一実施形態において、前記ロックアセンブリは、前記ロックアセンブリがロック解除状態に移行することに応答して、ロック解除位置にくるように作動され、前記解除信号を提供するように構成されたスイッチを含む。
【００３９】
一実施形態において、前記ロック機構の前記スイッチは、前記キーの適用に関連しない前記スイッチの作動に応答して、アラーム信号を送信するように構成されている。
【００４０】
一実施形態において、前記電子アセンブリは、第２の無線周波数受信機を含み、
前記解除信号は、前記第２の無線周波数受信機によって、無線解除信号の受信に応答して提供される。
【００４１】
前記電子アセンブリは、音声装置をさらに含み、
前記処理回路は、
前記無線周波数受信機からの前記ゲート検出信号の受信に応答して、前記音声装置にアラーム信号を送信することにより、前記音声装置にアラーム音を発信させ、
前記解除信号の受信に応答して、アラーム停止信号を前記音声装置に送信することにより、前記音声装置に前記アラーム音の発信を停止させる
ように構成されている。
【００４２】
一実施形態において、前記無線周波数受信機は、共振回路を形成するように結合されたインダクタ及びコンデンサを含む。
【００４３】
一実施形態において、前記共振回路は、約５８ｋＨｚまたは約８．２ＭＨｚで共振するように構成されている。
【００４４】
一実施形態において、前記容器は、蓋にヒンジで取り付けられた、５面の基部を含む。
【００４５】
一実施形態において、前記電子アセンブリ及び前記利益拒否アセンブリは、前記ヒンジ付き蓋に取り付けられている。
【００４６】
一実施形態において、前記５面のシェルは、透明である。
【００４７】
一実施形態において、前記ロックアセンブリは、磁気キーとの相互作用により、ロック解除状態に移行するように構成されている。
【００４８】
さらに別の態様においては、
電子アセンブリの処理回路において、前記電子アセンブリの無線周波数受信機が無線信号を受信することに応答して、前記電子アセンブリの前記無線周波数受信機からゲート検出信号を受信すること、及び
前記無線周波数受信機からの前記ゲート検出信号の受信に応答して、利益拒否アセンブリの放出機構に放出信号を送信することにより、前記放出機構を発動させ、前記利益拒否アセンブリのベッセル内に配置された物質をロック可能な容器の中に放出させること
を含み、前記ロック可能な容器内に物品が配置されている、方法が提供される。
【００４９】
一実施形態において、前記方法は、前記無線周波数受信機からの前記ゲート検出信号の受信に応答して、前記音声装置にアラーム信号を送信することにより、前記音声装置にアラーム音を発信させること
をさらに含む。
【００５０】
一実施形態において、前記方法は、前記無線周波数受信機からの前記ゲート検出信号の受信に応答して、タイマーを開始すること
をさらに含み、
前記放出信号を送信することは、前記無線周波数受信機からの前記ゲート検出信号の受信、及び、前記タイマーが閾値に到達したことに応答して、前記放出機構に前記放出信号を送信することを含む。
【００５１】
前記方法の一実施形態において、前記容器は、ヒンジ付き蓋に取り付けられた、５面のシェルを含む。
【００５２】
前記方法の一実施形態において、前記電子アセンブリ及び前記利益拒否アセンブリは、前記容器のヒンジ付き蓋に取り付けられている。
【００５３】
前記方法の一実施形態において、前記物質は、液体、ゲル、粉末、または膨張する泡状物質である。
【００５４】
先の防犯装置または方法による一実施形態において、前記放出機構は、ピンと、機械的アクチュエータとを含み、放出信号を受信すると、前記機械的アクチュエータは、前記ピンを動かして前記ベッセルを突き刺し、前記ベッセルに孔を形成することにより、前記ベッセルから物質を放出できるようにする。
【００５５】
前記防犯装置または方法の何れかによる一実施形態において、前記放出機構は、反応物を含むポンプを含み、放出信号を受信すると、前記ポンプは、前記反応物を前記ベッセルに噴霧し、前記ベッセルに孔を形成することにより、前記ベッセルから前記物質を放出できるようにする。
【００５６】
前記防犯装置または方法の何れかによる一実施形態において、前記放出機構は、アクチュエータを含み、放出信号を受信すると、前記アクチュエータは、前記ベッセルの表面に圧力を印加するように作動され、それによって、前記物質が前記ベッセルから押し出される。
【００５７】
前記防犯装置または方法の何れかによる一実施形態において、前記アクチュエータは、ピストンである。
【００５８】
前記防犯装置または方法の何れかによる一実施形態において、前記放出機構は、前記ベッセルと連通する管を含み、前記物質は、前記ベッセルから前記管を通って流れる。
【００５９】
前記防犯装置または方法の何れかによる一実施形態において、前記放出機構は、前記ベッセルに取り付けられたノズルを含み、前記アクチュエータが作動され、前記ベッセルに圧力を印加すると、前記物質は、前記ベッセルから押し出され、前記ノズルから外に出される。
【００６０】
前記防犯装置または方法の何れかによる一実施形態において、前記ベッセルは、２以上の区画と、前記２以上の区画の各々の間に配置された障壁とを含み、各区画は、副成分物質を含み、放出信号を受信すると、前記２以上の区画間の前記障壁が開かれ、前記副成分物質の混合が可能となる。
【図面の簡単な説明】
【００６１】
一部の例示的実施形態を一般的用語で説明したが、次に、必ずしも縮尺通りに描かれていない添付の図面を参照する。
【図１】一部の例示的実施形態による、容器を含む防犯装置の正面図である。
【図２】一部の例示的実施形態による、防犯装置の平面図である。
【図３】一部の例示的実施形態による、防犯装置の背面図である。
【図４】一部の例示的実施形態による、防犯装置の右側面図である。
【図５】一部の例示的実施形態による、容器の基部と蓋との間のヒンジ接続を示す、防犯装置の上端部の部分正面図である。
【図６】一部の例示的実施形態による、防犯装置の蓋の分解正面図である。
【図７】一部の例示的実施形態による、防犯装置の蓋の底面図である。
【図８】一部の例示的実施形態による、防犯装置の蓋の分解図である。
【図９】一部の例示的実施形態による、電池ホルダーアセンブリの分解図である。
【図１０】一部の例示的実施形態による、電池ホルダーアセンブリの平面図である。
【図１１】一部の例示的実施形態による、防犯装置の蓋の部分破断平面図である。
【図１２】一部の例示的実施形態による、図１１の線１２−１２に沿って切断して見たときの、ロック解除位置にある蓋及びスライダーの部分断面正面図である。
【図１３】一部の例示的実施形態による、ロック解除位置にある蓋の部分破断平面図である。
【図１４】一部の例示的実施形態による、図１３の線１４−１４に沿って切断して見たときの、ロック位置にある蓋及びスライダーの部分断面正面図である。
【図１５】一部の例示的実施形態による、ロック位置にある蓋の部分破断平面図である。
【図１６】一部の例示的実施形態による、ロックアセンブリをロック解除するために磁気キーと係合された蓋の部分断面側面図である。
【図１７Ａ】一部の例示的実施形態による、タグの形態の防犯装置の斜視図である。
【図１７Ｂ】一部の例示的実施形態による、タグの形態の防犯装置の種々の内部構成要素の図である。
【図１７Ｃ】一部の例示的実施形態による、管の形態の給送要素を有するタグの形態の防犯装置の斜視底面図である。
【図１７Ｄ】一部の例示的実施形態による、伝送開口部を有するタグの形態の防犯装置の斜視底面図である。
【図１７Ｅ】一部の例示的実施形態による、箱を含む物品に取り付けられたタグの形態の防犯装置の側面図である。
【図１７Ｆ】一部の例示的実施形態による、衣服である物品に取り付けられたタグの形態の防犯装置の側面図である。
【図１７Ｇ】一部の例示的実施形態による、衣服である物品に取り付けられたタグの形態の防犯装置の側面図である。
【図１７Ｈ】一部の例示的実施形態による、衣服である物品に取り付けられたタグの形態の防犯装置の正面図である。
【図１８】一部の例示的実施形態による、防犯装置の選択された構成要素のブロック図である。
【図１９Ａ】一部の例示的実施形態による、放出機構の図である。
【図１９Ｂ】一部の例示的実施形態による、放出機構の図である。
【図１９Ｃ】一部の例示的実施形態による、放出機構の図である。
【図１９Ｄ】一部の例示的実施形態による、放出機構の図である。
【図１９Ｅ】一部の例示的実施形態による、放出機構の図である。
【図２０】一部の例示的実施形態による、物質放出利益拒否防犯装置のための例示的方法のフロー図である。
【発明を実施するための形態】
【００６２】
［一部の例示的実施形態の詳細な説明］
次に、一部の例示的実施形態を、添付の図面を参照して、以下でより詳細に説明する。添付の図面には、全部ではなく、一部の例示的実施形態が示されている。実際、本明細書で図示説明される例は、本開示の範囲、適用可能性、又は構成に関して、限定するものとして解釈されてはならない。むしろ、これらの例示的実施形態は、本開示が適用可能な法的要件を満たすように提供される。全体を通して、類似の参照番号は、類似の要素をフィンガーしている。本明細書で使用される場合、動作可能な結合とは、直接又は間接の接続に関連し、いずれの場合でも、互いに動作可能に結合された構成要素の機能的相互接続が可能になると理解されるべきである。
【００６３】
一部の例示的実施形態によれば、物質を放出し、物品（例えば、製品包装の有無にかかわらず、製品）と相互作用させる機能を有することにより、小売盗難を抑止する例示的防犯装置が、利益拒否技術として提供される。一部の例示的実施形態によれば、例示的防犯装置は、防犯装置を物品から物理的に分離する能力を抑制する働きをするロックアセンブリを含む場合がある。一部の例示的実施形態によれば、例示的防犯装置は、内部に物品を安全に保管できるロック可能な容器を含む場合がある。他の例示的実施形態によれば、タグの形態の例示的防犯装置を、物品（例えば、製品、あるいは、箱、ブリスターパック、衣類の材料のような製品包装）に取り付けることができる。防犯装置は、電子物品監視（ＥＡＳ）タグのような無線周波数（ＲＦ）受信機を含む電子アセンブリをさらに含む場合がある。電子アセンブリは、処理回路をさらに含む場合がある。さらに、防犯装置は、例えば膨張する泡のような物質で満たされたベッセルを含む利益拒否アセンブリを含む場合がある。利益拒否アセンブリは、盗難状態の検出に応答して、物質を（例えば、容器の中にまたは物品の表面に向けて）放出し、物品と相互作用させるように構成された放出機構をさらに含む場合がある。この点に関し、一部の例示的実施形態によれば、利益拒否アセンブリは、ポート、ノズル、または管のような給送要素を含む場合がある。一部の例示的実施形態によれば、管の一例は、皮下注射針と同様の鋭利な先端を有する場合がある。管を含む例示的実施形態では、管は、物品の内部空洞に入り込む場合があり、物質は、空洞の中に放出される場合がある。給送要素がポートまたはノズルである例示的実施形態では、物質は、物品の外面に向けて放出（例えば、噴霧）される場合がある。
【００６４】
一部の例示的実施形態によれば、物質を放出することは、（例えば、ベッセルを突き刺し、押しつぶし、または破裂させることによって）ベッセルに孔を開けることを含む場合がある。放出機構は、処理回路に結合され、処理回路によって発動可能である場合がある。この点に関し、処理回路は、ＲＦ受信機が例えば小売店の出口に設置されたＥＡＳゲートから無線信号を受信したという指示の受信に応答して、放出機構を発動させるように構成される場合がある。この指示は、盗難の可能性を示している場合がある。発動された放出機構は、物質をベッセルから放出し、物品と相互作用させることができる。物質は、物品と相互作用することにより、物品に損傷を与え、または、物品に付着して、利益拒否機能を実施し、盗難を阻止し、組織的小売犯罪（ＯＲＣ：Organized Retail Crime）を防止することができる。
【００６５】
図１〜図１６を参照すると、例示的防犯装置１０ａは、基部１２及び蓋１４によって形成された容器１１を含む場合がある。基部１２と蓋１４を合わせたものは、６面の箱を形成する場合がある。蓋１４は、ヒンジを介して基部１２に接続され若しくは取り付けられ、開位置と閉位置との間で移動可能である。基部１２は、製品包装の有無にかかわらない小売製品（図示せず）のような物品を受け入れるようなサイズを有する場合がある。蓋１４は、基部１２と協働し、蓋１４が閉位置にあるときに物品を取り囲み、物品を安全に保管することができる。蓋１４は、好ましくは、ヒンジ１６によって基部１２に旋回可能に取り付けられる。防犯装置１０ａは、蓋１４と基部１２を一つに固定するとともに、基部１２内からの物品の不正な取り外しを防止するために、「１８」（図８）で一般的に示されたロックアセンブリをさらに含む場合がある。防犯装置１０ａは、「２０」で一般的に示された電子アセンブリをさらに含む場合がある。電子アセンブリ２０は、防犯装置１０ａが装着されていることを示すＬＥＤ８２のような光源、ＥＡＳタグ８４、及び、音を発するスピーカー８０のような音声装置を含む場合がある。電子アセンブリ２０の構成要素の１以上は、例えば、基部１２から蓋１４をこじ開ける試みが行われたとき；電子アセンブリ２０が店舗の防犯ゲートの近くに持ってこられたとき；または、キー２２（図１６）を用いて電子アセンブリ２０を先に解除することなく防犯装置１０ａが店舗から持ち去られたときに、発動される場合がある。一体型電子アセンブリ２０を備えた防犯装置１０ａは、２００５年１２月２０日に出願された「Electronic Security Device and System for Articles of Merchandise」と題する係属中の米国特許出願第１１／３１２，２６６号に開示されたシステムのような商品用防犯システムの一部として使用されるように設計されてもよい。この米国特許出願（現在放棄されている）は、２００４年１２月２８日に出願された米国仮出願第６０／６３９，７７０号に基づく優先権を主張している。これら２つの出願の明細書の全体は、参照により本明細書に援用される。
【００６６】
防犯装置１０ａは、コンピュータソフトウェアの箱、書籍、宝石箱、電子機器ボックス等の小売製品のような物品を受け入れるように構成される場合がある。基部１２は通常、透明な材料から製造され、それによって顧客は、防犯装置１０ａ内に保持された物品を見ることができる。基部１２は、前壁２４、後壁２６、及び、底壁３０から上向き及び外側に向かって遠ざかるように延びる対向する左右の側壁２８を含む場合がある。壁２４、２６、２８及び３０は、底壁３０の反対側に配置された開放端を有する、５面のフレーム又は箱の形に配置される場合がある。
【００６７】
蓋１４は、ヒンジ１６によって基部１２に枢動可能に接続される場合がある。ヒンジ１６は、ヒンジピン１６ａを中心に回転可能である場合がある。蓋１４は、蓋１４が閉位置にあるときに、箱の開放端を閉じることができ、蓋１４が開位置にあるときに、箱の内部空洞へのアクセスを可能にすることができる。蓋１４は、不透明材料から製造される場合がある。これによって、例えば、観察者は、ＥＡＳタグが蓋１４内にあるか否かを判断できず、また、防犯装置１０ａを閉鎖ロック位置に固定するためのロックアセンブリの種々の構成要素を見ることができないようになる。蓋１４は、機械作動装置や磁気作動装置を含む、任意の適当なロックアセンブリ又は機構によって、基部１２にロックされてよい。ただし、適当なロック機構の一例は、２００３年１２月２１日に出願された係属中の米国特許出願第１０／３７１，５７０号（現在米国特許第７，１９４，８７９号）において図示説明された機構機構である。米国特許出願第１０／３７１，５７０号の明細書の全体は、参照により本明細書に援用される。
【００６８】
蓋１４は、スライダー３２、及びロックアセンブリ１８（図８）によって、基部１２にロックされる場合がある。スライダー３２は、蓋１４の内面に摺動可能に固定される場合がある。スライダー３２は、複数の留め具３３によって蓋１４に摺動可能に固定される場合がある。留め具３３は、スライダー３２のスロット３５を通り、蓋１４の内面１４ａに形成されたボス３７の中に受け入れられる。スライダー３２は、蓋１４の内面１４ａに対して選択的に摺動可能である場合があり、ロック位置とロック解除位置との間で移動可能である場合がある。ロックアセンブリ１８は、２つのバネ付勢された可動フィンガー４６を有する磁気作動ロックアーム３６を含む場合がある。アーム３６及びフィンガー４６は、傾斜ポケット４７を有するスライダー３２の一部と係合するように設計される場合がある。ポケット４７は、その内部にフィンガー４６を受け入れ、フィンガー４６が磁気キー２２による作用を受けない限り、フィンガー４６のポケット４７からの引き抜きを防止するようなサイズ及び形状を有する場合がある。ロックアセンブリ１８は、ロックアセンブリ１８がそのロック位置にあるとき、すなわち、フィンガー４６がポケット４７内に保持されているときに、スライダー３２をロック位置に保持することができる。キー２２を使用することにより、ロックフィンガー４６をロック位置（図１４）からロック解除位置（図１２及び図１６）へ移動させることができる。キー２２は、キー２２が蓋１４上に正しく配置されたときにロックアーム３６上のフィンガー４６と整列するように配置された磁石３８を有する場合がある。磁石３８は、フィンガー４６を磁石３８に向かって引き寄せ、フィンガー４６がロックアーム３６と再整列されると、ユーザーはフィンガータブ４４を操作し、スライダー３２を開位置に戻すことができる。ロックアセンブリ１８は、蓋１４又はスライダー３２の何れか一方に搭載される場合があり、ロック機構３６の特定の設計によっては、ロックアセンブリ１８は、蓋１４及びスライダー３２のうちの他方に形成されたポケット４７と係合する場合があることが、理解されるであろう。
【００６９】
スライダー３２は、複数の間隔を空けたＬ字形ロックタブ４０を含む場合がある。Ｌ字形ロックタブ４０は、図６及び図８に示されている。蓋１４は、複数の離間されたタブ４１を含む場合がある。タブ４１は、図７及び図８から見て取ることができる。さらに、基部１２の前壁２４は、そこから上向き及び外側に延びる複数の離間されたフックタブ３４を含む場合がある。各フックタブ３４は、前壁２４の上縁に実質的に平行に配置されたＵ字形スロットを含む場合がある。タブ３４、４０、及び４１は、通常、基部１２、スライダー３２、及び蓋１４とそれぞれ一体に製造される。スライダー３２が蓋１４に固定されると、Ｌ字型ロックタブ４０の各々の下側脚部は、タブ４１のうちの１つの外面に当接することができる。スライダー３２をロック位置とロック解除位置との間で摺動可能に移動させると、フックタブ３４とロックタブ４０は、互いに係合され、又は互いから分離される場合がある。スライダー３２を動かし、蓋１４と基部１２を一緒にロックすると、各ロックタブ４０の下側脚部は、関連するタブ４１の上面に沿って摺動し、隣接するフックタブ３４のＵ字型スロットの中に入る。ロックタブ３４と４０のこの相互ロックによれば、蓋１４が閉位置から開位置に旋回することを実質的に防止され、したがって、防犯装置１０ａをロックすることができる。スライダー３２を反対方向に動かすと、ロックタブ４０の下側脚部は、関連するフックタブ３４のＵ字型スロットから滑り出る。その後、蓋１４をロック解除状態にすることができる。ロック解除状態では、蓋１４を閉位置と開位置の間で旋回させることにより、基部１２内の内部空洞へのアクセスが可能となる。
【００７０】
蓋１４は、電子アセンブリ２０のスピーカーグリル５０及びライトポスト５２を受け入れるアパーチャ４８も備えており、さらに、キー２２を正しく位置決めするために使用される一対の位置合わせインジケータ５４も備えている。スピーカーグリル５０及びライトポスト５２は、蓋１４とスライダー３２との間に挟まれた電池ホルダーアセンブリー５６（図６）と一体に形成される場合がある。電池ホルダーアセンブリ５６は、複数の留め具５８（図７）によって蓋１４に固定的に接続される場合がある。留め具５８は、アセンブリ５６の取り付け穴６０を通り、蓋１４の内面１４ａに一体的に形成されたボス６２（図８）の中まで延びている。
【００７１】
電池ホルダーアセンブリ５６は、電子アセンブリ２０の回路及び他の構成要素を備えている。特に、電池ホルダーアセンブリ５６は、少なくとも一対のスイッチ６８、７０と；電子アセンブリを実質的に制御する半導体回路基板７２と；電池７４及び関連する電池カバー７６、電池端子７８と；スピーカー８０（図１０）と；ライトポスト５２に向かって光を放射するように配置された発光ダイオード（ＬＥＤ）８２と；ＥＡＳタグ８４とを含む場合がある。ＬＥＤ８２は、電子アセンブリ２０が作動されたときに閃光を発するように設計される場合がある。ＥＡＳタグ８４は、無線周波数（ＲＦ）反応性または磁気反応性（ＡＭ）である場合があり、防犯ゲートによって検出されたときに防犯ゲートアラームを作動させるように設計されている。この点に関し、ＥＡＳタグ８４は、ＲＦ受信機１１３（図１６）の一例である場合がある。スイッチ６８は、電池ホルダーアセンブリ５６の開口部８８及びスライダー３２のスロット８９（図６）を通って外向きに延びている。スイッチ７０は、アセンブリ５６から外向きに延びて、スライダー３２の突起部９０と係合することができる。電池カバー７６は、複数の留め具７５によって電池ホルダーアセンブリ５６に固定される場合がある。留め具７５は、カバー７６の穴８６を通って、アセンブリ５６の穴８７（図９）の中に挿入される。スライダー３２は、アパーチャ６４をさらに含み、電池カバー７６は、アパーチャ６４を通して短い距離だけ延びている。留め具７５には、開口部６４を通して容易にアクセスすることができる。図８に示されるように、アパーチャ６４の長さ及び幅は、電池ホルダーアセンブリ５６の長さ及び幅よりも短い場合があり、電池カバー７６の長さ及び幅よりも長い場合がある。スライダー３２が前後に動くときに電池カバー７６がスライダー３２と係合しないように、アパーチャ６４に余分な幅を与えてもよい。実施形態は、コイン型電池を含むものとして示されているが、理解されるように、装置及びハウジングは、特定の目的または意図された用途に望まれるサイズの任意の形状の電池を使用するように構成されてもよい。
【００７２】
添付の図面には特に示されていないが、電子アセンブリ２０は、回路基板７２に接続された複数のセンサーをさらに含む。これらのセンサーは、システム内の電気回路の状態を監視し、回路が故障した場合にそれを知らせる。回路に途絶が生じた場合、回路基板７２から信号が送信され、システムの内部可聴アラームが鳴らされる。
【００７３】
防犯装置１０ａは、次の形で使用される場合がある。ロックアセンブリ１８がロック解除位置にあるとき（図１１及び図１２）、蓋１４を開いて、物品を基部１２に挿入できるようにする。次に、蓋１４を回転させることにより、基部１２の開放端を閉じることができる。次に、ユーザーは、矢印「Ａ」の方向にフィンガータブ４４を押して（図１３）、スライダー３２を矢印「Ａ」の方向に移動させることができる。前述したように、この移動により、ロックタブ４０とフックタブ３４が互いに係合する。図１４に示されるように、スライダー３２の移動により、さらに、ロックアーム３６のフィンガー４６が、ポケット４７上の位置まで摺動される。フィンガー４６は、平面ロックアーム３６と整列するようにばね付勢される場合がある。その結果、フィンガー４６がポケット４７上に配置されると、フィンガー４６は、アーム３６との整列からパチンと外れ、ポケット４７内と係合するようになり、それによって、蓋１４と基部１２が、一つにロックされる。さらに、図１３に示されるように、スライダー３２の移動により、スイッチ７０は、突起部９０に沿って乗せられ、それによってスイッチ７０は、防犯装置１０ａの電気回路が閉じられる位置に移動される。また、スライダー３２の移動により、スイッチ６８は、開口部８８及びスロット８９の中に滑り込まされ、電気回路が閉じられる位置まで移動される。電気回路を閉じると、ＬＥＤ８２は発光を開始し、その光を、蓋１４のライトポスト５２を通して拡大して見ることができる。ＬＥＤ８２は、防犯装置１０ａが現在アラームを発していることを消費者に知らせる場合がある。好ましくは、ＬＥＤ８２は、防犯装置１０ａがアラームを発しているという事実に消費者の注意を向けるために、点滅するように構成される。さらに、回路を閉じると、ＥＡＳタグ８４及びスピーカー８０に、電力が供給される。その結果、基部１２から蓋１４をこじ開けようとする試みがなされると、電子アセンブリ２０内のセンサが発動され、スピーカー８０は、注意を引く大きな音を発することになる。防犯装置１０ａは、例えば１０分間のような所定の長さの時間にわたって音を発するように事前プログラムされる場合がある。さらに、基部１２から蓋１４をこじ開けようとする試みがない場合でも、防犯装置１０ａが、保護された環境の入口又は出口において防犯ゲートの特定の事前プログラムされた範囲内にくると、ＥＡＳタグ８４が発動され、それによって防犯ゲートは、リモートアラームを鳴らす。同時に、防犯装置１０ａ内のスピーカー８０も、注意を引く大きな音を発し始める。このアラームは、防犯装置１０ａに特別に設計されたキー２２を係合することによってのみオフにできる。
【００７４】
顧客が商品を合法的に購入した後に電子アセンブリがアラームを鳴らすのを防止するために、キー２２をロックアセンブリ１８と位置合わせすることにより、防犯装置１０ａを作動解除することができる。キー２２の突起部９０（図１５）を蓋１４のアパーチャ５４の中に入れることによって、キー２２を防犯装置１０ａ上に正しく位置合わせすることができる。これによって、磁石３８（図１６）が、ロックアセンブリ１８上のフィンガー４６の近くにくる。フィンガー４６は、磁石３８に向かって引き寄せられ、それによって基部３２のポケット４７から引き出される。次に、フィンガータブ４４を矢印「Ａ」とは反対の方向に動かし、それによってスライダー１４を、蓋１４に対して矢印「Ａ」とは反対の方向に動かすことができる。スライダー３２がこの第２の方向に移動すると、スイッチ７０は、突起部９０に沿って、図１３に示した位置から図１１に示した位置へ摺動する。さらに、スイッチ６８は、開口部８８及びスロット８９を通って、反対方向に摺動する。スイッチ６８及び７０の動きにより、防犯装置１０ａ内の電気回路は破壊され、それによって電子アセンブリ２０が作動解除される。矢印「Ａ」とは反対の方向へのスライダー３２の移動により、さらに、蓋１４がロック解除される場合がある。その後、蓋１４を開位置まで回転させることができ、物品を基部１２内から取り外すことができる。
【００７５】
図１７Ａ〜図１７Ｆを参照すると、別の例示的防犯装置１０ｂが提供される。この点に関し、防犯装置１０ｂは、物品（例えば、箱や衣服のような製品包装）の外側に取り付けることができるタグの形態を有する場合がある。防犯装置１０ｂは、取り付けプレート、直接接着、またはロッキングピンのような、いくつかの代替的方法で物品に取り付けられてもよい。防犯装置１０ｂは、本明細書に記載されるような物質を放出し、物品と相互作用させて、利益拒否機能を実施する機能をさらに含む場合がある。
【００７６】
図１７Ａを参照すると、例示的防犯装置１０ｂの上面斜視図が示されている。この点に関し、防犯装置１０ｂは、プラスチックから形成されてもよいハウジング４００を含む場合がある。ハウジング４００は、防犯装置１０ｂをロック構成からロック解除構成へ移行させるためのハウジング４００に対するキー２２の位置決めを支援するキーロケータ４０１を含む場合がある。さらに、防犯装置１０ｂは、装着インジケータライト４０３、及び、内部サウンド装置によるアラーム音の発信を容易にするサウンドグリル４０２を含む場合がある。
【００７７】
図１７Ｂは、ハウジング４００を取り外した状態で、防犯装置１０ｂの一部の内部構成要素を示す俯瞰図である。この点に関し、防犯装置１０は、電子アセンブリ、利益拒否アセンブリ、及びロックアセンブリを含む場合がある。電子アセンブリは、電子アセンブリ２０の一例であってもよく、以下で詳しく説明されるような機能を有する処理回路１１０を含む場合がある。電子アセンブリは、防犯装置１０ｂが装着されていることを示すためのＬＥＤ４０３のような光源、ＥＡＳタグ４０６（例えば、ＥＡＳタグ８４と類似または同じもの）、及び、音を発するスピーカー４０４のような音声装置を含む場合がある。処理回路１１０は、利益拒否アセンブリ１２０の動作を制御し、ロッキングアセンブリから指示を受け取るように構成される場合がある。
【００７８】
本明細書で詳しく説明されるように、利益拒否アセンブリは、ベッセル１２１、及び放出機構１２２を含む場合がある。ロックアセンブリは、キー検出スイッチ４０７、及び物品係合スイッチ４０９（図１７Ｃ及び図１７Ｄを参照）を含む場合がある。一部の例示的実施形態によれば、ロックアセンブリは、例えば、ボールクラッチの形態のピンロック４０８をさらに含む場合がある。キー検出スイッチ４０７は、防犯装置１０ｂと連結するキー２２の存在を検出するように構成される場合がある。キー２２は、磁気キーであってもよい。キー検出スイッチ４０７がキー２２を検出すると、スイッチ４０７の検出状態が、解除信号の形で処理回路１１０に通知され、防犯装置１０ｂは、スピーカー４０４によりアラームを鳴らすことなく、ロック状態からロック解除状態へ移行することが許可される。キー検出スイッチ４０７は、キー検出スイッチ４０７がキー２２の磁石のような磁石が存在する状況にあるときに、キー検出スイッチ４０７を作動させるように動く鉄鋼材料を含む場合がある。この点に関し、物品係合スイッチ４０９が作動された（例えば、押された）ときに、防犯装置１０ｂは、処理回路１１０によって検出されるように、ロック状態にある場合があり、防犯装置１０ｂが保護する物品に取り付けられていることを示す場合がある。したがって、ロックアセンブリは、ロックアセンブリがロック解除状態に移行することに応答して、解除信号を生成するためのキー２２の適用に関連するロック解除（例えば、伸長）位置になるように作動するように構成された物品係合スイッチ４０９を含む場合がある。さらに、物品係合スイッチ４０９は、キー２２が適用されておらず、キー２２がキー検出スイッチ４０７によって検出されないときの物品係合スイッチ４０９の作動に応答して、処理回路１１０によって受信されるアラーム信号を送信または生成するように構成される場合がある。
【００７９】
図１７Ｃを参照すると、物品係合スイッチ４０９は、防犯装置１０ｂの基部に配置されたプランジャスイッチであってもよいことが見て取れる。この点に関し、防犯装置１０ｂを物品に取り付けるときに、物品係合スイッチ４０９は、防犯装置１０ｂがロック装着構成であることを示すために、押し下げられる場合がある。防犯装置１０ｂは、物品に接着された係合プレートを介して、または防犯装置１０ｂを物品に直接接着することによって、製品に取り付けられる場合がある。物品が内部に空洞を有する箱または他の包装を含む状況では、管４１０は、鋭利な先端で包装を突き刺して、管４１０が空洞に入れるようにする場合がある。管４１０は、伸縮式であってもよい。この構成が、図１７Ｅに示されている。図１７Ｅでは、管４１０が、物品５００の空洞５０１に配置されている。本明細書では、管を含む放出機構について、特に機能に関して、さらに詳しく説明される。キー検出スイッチによるキー２２の検出がないときに物品係合スイッチ４０９が作動された場合、処理回路１１０は、スピーカ４０４を通してアラームを鳴らすように構成される場合がある。
【００８０】
あるいは、防犯装置１０ｂは、ロック可能なピンを介して、布地等を有する物品に取り付けられる場合がある。この点に関し、図１７Ｄを参照すると、ピン４１２は、ピンロック４０８を介して防犯装置１０ｂにロックされる場合がある。ピン４１２は、ピン４１２が防犯装置１０ｂの基部の開口部４１５を介してピンロックにロックされるときに、物品係合スイッチ４０９と係合するのに十分な幅のピンヘッド４１３を含む場合がある。この点に関し、図１７Ｆを参照すると、ピン４１２は、物品係合スイッチ１０９と係合した状態で、物品５００の布地を突き刺して、防犯装置１０ｂにロックできることが見て取れる。さらに、図１７Ｄから見て取れるように、防犯装置１０ｂは、開口部４１１を含む場合があり、防犯装置１０ｂの利益拒否機能の一部として、物質１２３は、開口部４１１を通して放出される場合がある。理解されるように、ピンロックアセンブリが使用される場合、システムは、必要に応じて、複数のピンロック及びピンを含む場合がある。
【００８１】
タグを物品に取り付ける他の適当な方法は、クランプを使用してクランプ力を印加することにより、装置を物品に対して固定することである。図１７Ｇ及び図１７Ｈを参照すると、タグ１０ｂは、例えば、図１７に記載されたもののような、必要に応じて任意の形状の本体を有することができる。ただし、本体は、タグを物品にロックまたは固定するために、物品５００の反対側の面上に延びるクランプ機構４２０を含む。クランプ機構の形状やサイズは、いかなる形状、サイズ、または設計にも限定されず、特定の目的または意図された用途のために望まれるように選択されてよい。
【００８２】
次に図１８を参照すると、防犯装置１０（例えば、１０ａまたは１０ｂ）の選択された構成要素のブロック図が示されている。この点に関し、電子アセンブリ２０は、処理回路１１０を有するように図示されている。処理回路１１０は、プロセッサ１１２及びメモリ１１１を含む場合がある。プロセッサ１１２は、如何なるタイプのマイクロプロセッサ、フィールドプログラマブルゲートアレイ（ＦＰＧＡ）、又は特定用途向け集積回路（ＡＳＩＣ）であってもよい。プロセッサ１１２は、ハードウェアで構成されてもよいし、ソフトウェア命令（例えば、メモリ１１１に記憶される）の実行により構成されてもよく、防犯装置１０の動作をサポートする種々の機能を具現化及び実施する。プロセッサ１１２は、プロセッサ１１０及び処理回路１１０が、周辺構成要素と相互に情報をやりとりし、周辺構成要素から情報を受信し、周辺構成要素の動作を制御できるようにする入出力ピン又は接続を含む場合がある。メモリ１１１は、プロセッサ１１２とは別個のものであってもよいし、プロセッサ１１２と一体化されていてもよい。
【００８３】
この点に関し、処理回路１１０は、ＲＦ受信機１１３に直接的又は間接的に接続される場合がある。ＲＦ受信機１１３は、ＥＡＳタグ８４やＥＡＳタグ４０６のようなＥＡＳタグであってもよい。この点に関し、ＲＦ受信機１１３は、小売店の入口や出口にあるＥＡＳ防犯ゲートによって放射された無線信号を受信するように構成される場合がある。ＲＦ受信機１１３は、防犯装置１０がＥＡＳ防犯ゲートに比較的近接しているとき、したがって、小売店の入口や出口に比較的近接しているときに、ＥＡＳ防犯ゲートから信号を受信することができる。ＲＦ受信機１１３は、例えば約８．２ＭＨｚ又は約５８ｋＨｚのような、種々のＥＡＳ防犯ゲートに共通の周波数で動作するように構成される場合がある。ＲＦ受信機１１３は、ＬＣタンク回路を形成するインダクタ及びコンデンサを含む場合があり、ＬＣタンク回路は、ＥＡＳ防犯ゲートにより生成された無線信号に応答して、ＥＡＳ防犯ゲートにリターン信号を送信するように共振し、ＥＡＳ防犯ゲートにアラームを発動させる。
【００８４】
ＲＦ受信機１１３は、さらに、処理回路１１０に直接的又は間接的に接続される場合がある。この点に関し、処理回路１１０は、ＲＦ受信機１１３を監視し、ＲＦ受信機１１３がＥＡＳ防犯ゲートから無線信号を受信したか否かを判定するように構成される場合がある。ＥＡＳ防犯ゲートからの無線信号の受信に応答して、ＲＦ受信機１１３は、処理回路１１０による受信のために、処理回路１１０にゲート検出信号を提供するように構成される場合がある。本明細書でさらに詳しく説明されるように、処理回路１１０におけるゲート検出信号の受信は、防犯装置１０のいくつかの機能を開始させる働きをする場合がある。
【００８５】
例えば、ゲート検出信号の受信により、処理回路１１０は、利益拒否アセンブリ１２０に関連する種々の機能を発動させる場合がある。利益拒否アセンブリ１２０は、防犯装置１０内に配置される場合がある。利益拒否アセンブリ１２０は、放出機構１２２、及びベッセル１２１を含む場合がある。
【００８６】
ベッセル１２１は、物質１２３を収容するためのカプセル、密閉管、パケット、キャニスター等のような格納装置であってよい。ベッセル１２１は、プラスチック（例えば、薄いプラスチックフィルム）や金属（例えば、アルミニウム）等から形成される場合がある。一部の例示的実施形態によれば、物質１２３は、膨張する発泡物質（例えば、ポリウレタンフォーム）である場合がある。一部の例示的実施形態によれば、物質１２３は、物品に跡を付け、損傷を与え、汚れを付し、または付着することが可能な粉末、液体、またはゲル（例えば、漂白剤、染料など）である場合がある。一部の例示的実施形態によれば、物質１２３は、放出され、空気、環境、または圧力または温度の変化にさらされたときに、その状態が、例えば液体またはゲルから固体に変化するものであってもよい。さらに、一部の例示的実施形態によれば、ベッセル１２１は、２つの区画から構成される場合があり、発動されたときに、それらの区画間の障壁が取り除かれ、各区画内の副成分物質が混合され、副成分の混合時に物質１２３が形成される場合がある。一部の例示的実施形態によれば、ベッセル１２１は、加圧される場合があり、したがって、放出機構１２１によってベッセル１２１に孔が開けられるまで、物質１２３は、加圧されている場合がある。
【００８７】
放出機構１２２は、処理回路１１０によって制御され、ベッセル１２１からの物質１２３を、例えば、防犯装置１０ａの容器１１の中に、及び／又は、物品の中に若しくは物品に向けて放出する装置である場合がある。この点に関し、例えば、放出機構１２２は、ベッセル１２１に孔を開けて物質１２３を放出することにより物質１２３を放出し、容器１１内の物品と結合させ、容器１１内の物品に損傷を与え、または、防犯装置１０ａに関して、容器１１内の物品の取り外しを防止するように構成される場合があり、これによって、物品及び防犯装置１０が盗まれようとしたときに、利益拒否機能を実施する。
【００８８】
放出機構１２２は、給送要素１２４、及びアクチュエータ１２５を含む場合がある。アクチュエータ１２５は、処理回路１１０によって制御される場合があり、処理回路１１０から放出信号を受信し、放出信号に応答して、例えば、機械的作動を含む放出動作を実施するように構成される場合がある。放出機構１２２に使用されることがあるアクチュエータ１２５のいくつかの例としては、ポンプ、ピストン、可動の穿刺要素（例えば、付勢されたピン）、ミキサーなどが挙げられる。アクチュエータ１２５によって実施された放出動作は、ベッセル１２１に孔を開けることによって物質１２３の放出を引き起こし、給送要素１２４を介して物質１２３を放出する。一部の例示的実施形態によれば、給送要素１２４は、例えば、（例えば、ベッセル１２１の貫通または破裂により）ベッセル１２１に開けられた孔またはポートであってもよい。ポートは、ベッセル１２１の壁に予測可能な破損点をもたらす、ベッセル１２１の壁の弱体化領域であってもよい。一部の例示的実施形態によれば、給送要素１２４は、物質１２３を噴霧するための、ベッセルに取り付けられた管（例えば、鋭利な先端を有する）またはノズルであってよい。
【００８９】
図１９Ａ〜図１９Ｅは、一部の例示的実施形態による、ベッセル１２１及び放出機構１２２を含む利益拒否アセンブリ１２０の一部の例を示している。種々の例示的実施形態によれば、放出機構１２２は、いくつかの異なる方法で動作するように構成される場合があり、処理回路１１０からの放出信号の受信に応答して、物質１２３を、例えば、容器１１若しくは物品の中に、または物品に向けて放出する場合がある。放出機構１２２（より具体的にはアクチュエータ１２５）は、処理回路１１０から放出信号を受信し、これに応答して、放出動作（例えば、機械的作動）を実施し、ベッセル１２１に孔を開けるように構成される場合がある。
【００９０】
図１９Ａを参照すると、放出機構１２２は、ピン１３３、及び機械的アクチュエータ１３２を含む場合がある。機械的アクチュエータ１３２は、放出信号を受信し、これに応答してピン１３３をベッセル１２１に向かって動かし、ベッセル１２１を突き刺し、ベッセル１２１に孔を形成することが可能な如何なるタイプの装置であってよい。機械的アクチュエータ１３２は、例えば、ソレノイド、ピストン、モータ等を使用して、ピン１３３を動かすことができる。ベッセル１２１に孔が形成されると、物質１２３は、例えば、容器１１の中に、物品の空洞の中に、または物品の外面に向けて放出される場合がある。このように、ベッセル１２１に形成された孔は、給送要素１２４となり得る。
【００９１】
図１９Ｂを参照すると、放出機構１２２は、内部に反応物１３５（例えば、酸、水、他の溶液など）が格納されたポンプ１３４を含む場合がある。ポンプ１３４は、反応物１３５をベッセル１２１の表面に噴霧し、壁の材料と反応させ、壁を弱くして孔を形成することにより、ベッセル１２１の壁に孔を形成するアクチュエータであってもよい。この点に関し、ポンプ１３４は、放出信号を受信し、これに応答して、ベッセル１２１の外壁に反応物１３５を噴霧して孔を形成し、物質１２３を、例えば、容器１１の中に、物品の空洞の中に、または物品の外面に向けて放出することができる。このように、ベッセル１２１に形成された孔は、給送要素１２４となり得る。
【００９２】
図１９Ｃを参照すると、別の例示的放出機構１２２が提供される。この点に関し、放出機構１２２のアクチュエータは、ピストン１３６であってもよい。ピストン１３６は、放出信号の受信に応答して、ベッセル１２１に表面圧力を印加し、物質１２３をベッセル１２１から押し出すように動作するアクチュエータであってもよい。物質１２３は、様々な給送要素を介して押し出される場合がある。一部の例示的実施形態によれば、上述のように、ポートは、ピストン１３６がベッセル１２１に十分な圧力を加えたときに破損する弱体化領域を提供することができる。図１９Ｃから見て取れるように、放出機構１２２は、管１２６である伝送機構を含む場合があり、物質は、管１２６を通して放出される場合がある。一部の例示的実施形態によれば、管１２６は、物品の空洞を物質１２３で満たすために、物品の空洞に入り込むように配置される場合がある。この点に関し、物品は、空洞（例えば、箱またはカートンの内部空洞）を含む場合があり、管１２６は、防犯装置１０が取り付けられたされたときに、物品の空洞に入り込むように配置される場合がある。管１２６は、剛性であってもよく、物品の空洞の外壁に穴を開けることを容易にするために、鋭利な先端を有する場合があり、その結果、管１２６は、空洞内に配置される。一部の例示的実施形態によれば、鋭利な先端を有する管１２６は、防犯装置１０を物品に取り付ける人の力によって、物品の壁に穴を開けることができる。一部の例示的実施形態によれば、鋭利な先端を有する管１２６は、アクチュエータ（例えば、ソレノイド、モーター、または管１２６を動かすように動作する他の機械的アクチュエータ）によって物品に向かって動かされることにより、放出信号に応答して、物品に穴を開けることができる。アクチュエータは、例えば、ばねによって管１２６にかけられた付勢などにより、管１２６を動かし、または、管１２６の移動が可能となるようにストッパを取り除く働きをする。
【００９３】
あるいは、一部の例示的実施形態によれば、図１９Ｄに示されるように、給送要素は、ベッセル１２１に取り付けられたノズル１２７であってもよい。この点に関し、ピストン１３６は、ベッセル１２１に圧力を印加して、物質１２３をノズル１２７から押し出し、物質１２３を物品に向けてまたは物品の中に放出することができる。ノズル１２７は、物質をより広い領域に分散させ、物品の表面のより広い部分と相互作用させるように動作する場合がある。
【００９４】
図１９Ｅを参照すると、別の例示的放出機構１２２が提供される。ベッセル１２１は、それぞれに副成分物質を有する２つの区画を有する場合がある。放出信号を受信すると、区画間の障壁１３０を開くことにより、副成分物質を混合し、物質１２３を形成することができる。一部の例示的実施形態によれば、ミキサ１２８を繰り返し作動させる（例えば、各区画に繰り返し周期的圧力を加えるように回転させる）ことにより、障壁を開き、及び／又は、区画に圧力の繰り返し変化を加えて、それらの副成分物質の混合を促進することができる。最終的に得られた物質１２３は、図１９Ａ〜図１９Ｄに記載されているような給送要素１２９を介して放出される場合がある。
【００９５】
上述のように、一部の例示的実施形態によれば、放出動作は、例えば、ソレノイド、モーター、ポンプなどを制御することである場合がある。さらに、一部の例示的実施形態によれば、ベッセル１２１は、プラグを含む場合があり、放出機構１２２は、モータ、ソレノイドなどを作動させ、プラグをベッセル１２１から取り外し、ベッセル１２１に孔を開けるように構成される場合がある。一部の例示的実施形態によれば、物質１２３は、例えば、ポンプ装置を使用してポンプ輸送されてもよい。ポンプ装置は、放出機構１２２の一部であり、放出信号を使用して処理回路１１０によって制御される。この点に関し、処理回路１１０は、圧電素子のような構成要素を制御することにより、物質を攪拌してベッセル１２１から放出するポンプ動作を生成する振動を引き起こすことができる。
【００９６】
一部の例示的実施形態によれば、放出機構１２２に放出信号を送信する前に、処理回路１１０は、タイマー遅延を使用する場合がある。この点に関し、処理回路１１０は、無線周波数受信機からのゲート検出信号の受信に応答して、タイマーを開始するようにさらに構成される場合がある。したがって、処理回路１１０は、ＲＦ受信機１１３からのゲート検出信号の受信、及び、タイマーが閾値に到達したことに応答して、放出機構１２２に放出信号を送信するようにさらに構成される場合がある。この点に関し、タイマーは、処理回路１１０がゲート検出信号を受信するまで開始されない場合があり、その後、タイマーは、閾値（例えば、カウントダウンの場合はゼロ）までカウントダウン又はカウントアップする場合がある。閾値に到達すると、処理回路１１０は、放出機構１２２への放出信号の送信を開始することができる。一部の例示的実施形態によれば、時間は、例えば、１分又は５分のような閾値に到達する場合がある。さらに、一部の例示的実施形態によれば、処理回路１１０は、タイマーの動作中に、音声装置に音（例えば、繰り返される短い音）を発するように命じるように構成される場合がある。
【００９７】
上述のようにタイマーを使用することにより、防犯装置１０は、例えば、物品が適切に購入された後、店員が誤って防犯装置１０ａから物品を取り外さなかった場合や防犯装置１０ｂから物品を取り外さなかった場合に、利益拒否プロセスを中断する機会を与えることができる。この点に関し、処理回路１１０は、そのような状況に応じて店員がとった行動を検出すると、タイマーを停止又は無効化して、物質１２３の放出を回避するように構成される場合がある。したがって、処理回路１１０は、解除信号を受信すると、解除信号の受信に応答して、タイマーを停止する（すなわち、タイマーが閾値に到達するのを防ぐ）ように構成される場合がある。
【００９８】
種々の例示的実施形態によれば、解除信号は、いくつかの態様で開始することができる。例えば、解除信号は、ロックアセンブリ１８のスイッチ７０（例えば「、キー検出スイッチ４０７）を介して提供される場合がある。この点に関し、ロックアセンブリ１８がロック解除状態に移行すると（例えば、上述のように）、ロックアクチュエータ１３１（例えば、スライダー３２など）は、スイッチ７０の状態を変化させ、それによって、処理回路１１０に解除信号を提供する場合がある。一部の例示的実施形態によれば、キー２２は、ロックアセンブリ１８をロック解除位置に移行させる必要があり、キー２２は、店員のみが所有するべきであるから、この点に関し、店員が容器の中への膨張する泡状物質１２３の放出を防ぐために防犯装置１０を解除する行動をとった場合にのみ、解除信号は、提供される場合がある。
【００９９】
あるいは、解除信号は、ＲＦ受信機１１３または別のＲＦ受信機１１４によって処理回路１１０に提供される場合がある。この点に関し、例えば、ＲＦ受信機１１３は、無線解除信号（すなわち、例えば、無効化装置のより高い電力信号のような、ＥＡＳゲートによって放射される標準無線ゲート信号とは異なるもの）を受信すると、処理回路１１０に解除信号を提供する場合がある。同様に、電子アセンブリ２０は、第２のＲＦ受信機１１４を含む場合があり、第２のＲＦ受信機１１４は、ＥＡＳゲートとは異なる周波数で動作するＲＦアンテナを含む場合がある。一部の例示的実施形態によれば、ＲＦ受信機１１４は、処理回路１１０によって監視される音声装置１１５を励起するために使用される変圧器に関連するコイルであってもよい。この点に関し、一部の例示的実施形態によれば、キー２２は、防犯装置１０に無線解除信号を送信するように構成されたＲＦ送信機を含む場合がある。キー２２によって送信された無線解除信号が、ＲＦ受信機１１４によって受信されると、ＲＦ受信機１１４は、それに応答して、処理回路１１０に解除信号を提供して、タイマーを停止させることができる。
【０１００】
図２０は、上述の防犯装置１０（例えば、防犯装置１０ａまたは防犯装置１０ｂ）のような物質放出利益拒否防犯装置のための例示的方法３００のフロー図を示している。例示的方法３００は、３１０で、電子アセンブリの処理回路において、電子アセンブリの無線周波数受信機からゲート検出信号を受信することを含む場合がある。無線周波数受信機が無線信号を受信することに応答して、ゲート検出信号が、処理回路に提供される場合がある。さらに、例示的方法３００は、３２０で、タイマーを開始することを含む場合がある。タイマーは、無線周波数受信機からのゲート検出信号の受信に応答して開始される場合がある。例示的方法３００は、３３０で、無線周波数受信機からのゲート検出信号の受信に応答して、音声装置にアラーム信号を送信することにより、音声装置にアラーム音を発信させることを含む場合がある。さらに、例示的方法３００は、３４０で、無線周波数受信機からのゲート検出信号の受信に応答して、及び、一部の例示的実施形態によれば、タイマーが閾値に到達したことにも応答して、利益拒否アセンブリの放出機構に放出信号を送信することを含む場合がある。放出信号を送信することにより、放出機構を発動させ、ベッセル内に配置された物質を物品の中にまたは物品に向けて放出させることができる。
【０１０１】
前述の説明及び関連する図面に提示された教示の利益を有する発明に関係する技術の当業者には、多くの修正や本明細書に記載された他の実施形態が、思い浮かぶであろう。したがって、実施形態が、開示した特定の実施形態に限定されるものではなく、その修正や他の実施形態も、添付の特許請求の範囲内に含まれることが意図されていることを理解されたい。また、前述の説明及び関連する図面は、要素及び／又は機能の特定の例示的組み合わせの文脈で例示的実施形態を説明しているが、要素及び／又は機能の別の組み合わせも、添付の特許請求の範囲から外れることなく、代替実施形態によって提供される場合があることを理解されたい。この点に関し、例えば、添付の特許請求の範囲の一部に記載されているように、明示的に上述されたものとは異なる要素及び／又は機能の組み合わせも考えられる。利点、利益、又は課題に対する解決策が本明細書に記載されている場合、そのような利点、利益、及び／又は解決策は、必ずしもすべての例示的実施形態に適用可能ではなく、一部の例示的実施形態に適用可能である場合もあることを理解されたい。したがって、本明細書に記載された利点、利益、又は解決策が、すべての実施形態又は特許請求の範囲に記載した発明にとって重要、必要又は必須であるものと考えてはならない。本明細書では特定の用語が使用されているが、それらは、限定のためではなく、一般的かつ説明的な意味でのみ使用されている。
【図１】
2021504840.tif 000003
【図２】
2021504840.tif 000004
【図３】
2021504840.tif 000005
【図４】
2021504840.tif 000006
【図５】
2021504840.tif 000007
【図６】
2021504840.tif 000008
【図７】
2021504840.tif 000009
【図８】
2021504840.tif 000010
【図９】
2021504840.tif 000011
【図１０】
2021504840.tif 000012
【図１１】
2021504840.tif 000013
【図１２】
2021504840.tif 000014
【図１３】
2021504840.tif 000015
【図１４】
2021504840.tif 000016
【図１５】
2021504840.tif 000017
【図１６】
2021504840.tif 000018
【図１７Ａ】
2021504840.tif 000019
【図１７Ｂ】
2021504840.tif 000020
【図１７Ｃ】
2021504840.tif 000021
【図１７Ｄ】
2021504840.tif 000022
【図１７Ｅ】
2021504840.tif 000023
【図１７Ｆ】
2021504840.tif 000024
【図１７Ｇ】
2021504840.tif 000025
【図１７Ｈ】
2021504840.tif 000026
【図１８】
2021504840.tif 000027
【図１９Ａ】
2021504840.tif 000028
【図１９Ｂ】
2021504840.tif 000029
【図１９Ｃ】
2021504840.tif 000030
【図１９Ｄ】
2021504840.tif 000031
【図１９Ｅ】
2021504840.tif 000032
【図２０】
2021504840.tif 000033
【国際調査報告】
2021504840.tif 000034
2021504840.tif 000035
2021504840.tif 000036